(57)【特許請求の範囲】
【請求項１】
股間部と、股間部の前側に延在する腹側部分と、股間部の後側に延在する背側部分とを有し、
前記背側部分の両側部からそれぞれ突出するファスニングテープを有し、
前記腹側部分の外面に、幅方向に沿って延在し、前記ファスニングテープが連結されるターゲットテープを有し、
身体への装着に際して、前記ファスニングテープを腰の両側から腹側部分外面に回して前記ターゲットテープに連結する、テープタイプ使い捨ておむつにおいて、
前記ターゲットテープにおける幅方向中央部及びその両側に延在するサイド部のうち、少なくともサイド部に、前記腹側部分外面に非固定又は剥離可能に固定された自由部を有しており、この自由部は、前記ファスニングテープとの連結部と、幅方向に弾性伸縮する弾性伸縮部とを有しており、
前記弾性伸縮部は、ウエスト側部分よりも股間側部分における幅方向の弾性変形時引張応力が大きい、
ことを特徴とする、テープタイプ使い捨ておむつ。
【請求項２】
股間部と、股間部の前側に延在する腹側部分と、股間部の後側に延在する背側部分とを有し、
前記背側部分の両側部からそれぞれ突出するファスニングテープを有し、
前記腹側部分の外面に、幅方向に沿って延在し、前記ファスニングテープが連結されるターゲットテープを有し、
身体への装着に際して、前記ファスニングテープを腰の両側から腹側部分外面に回して前記ターゲットテープに連結する、テープタイプ使い捨ておむつにおいて、
前記ターゲットテープにおける幅方向中央部及びその両側に延在するサイド部のうち、少なくともサイド部に、前記腹側部分外面に非固定又は剥離可能に固定された自由部を有しており、この自由部は、前記ファスニングテープとの連結部と、幅方向に弾性伸縮する弾性伸縮部とを有しており、
前記弾性伸縮部における股間側部分は、幅方向中央側から幅方向外側に向かうにつれてウエスト側に近づく斜め方向に弾性伸縮するように構成されている、
ことを特徴とする、テープタイプ使い捨ておむつ。
【請求項３】
前記弾性伸縮部におけるウエスト側部分は、幅方向中央側から幅方向外側に向かうにつれて股間側に近づく斜め方向に弾性伸縮するように構成されている、請求項２記載のテープタイプ使い捨ておむつ。
【請求項４】
前記ターゲットテープの自由部におけるファスニングテープとの連結部が、弾性伸縮しないように構成されている、請求項１〜３のいずれか１項に記載のテープタイプ使い捨ておむつ。
【請求項５】
前記ファスニングテープは不織布を基材として形成されるとともに、その先端側部分に、前記ターゲットテープとの連結手段としてメカニカルファスナーの雄材が設けられたものであり、
前記ターゲットテープは不織布を基材として形成されるとともに、前記自由部における前記ファスニングテープとの連結部に、メカニカルファスナーの雌材が設けられるか又は基材の不織布が露出しているものである、
請求項４記載のテープタイプ使い捨ておむつ。
【請求項６】
前記腹側部分から前記背側部分にかけて延在する吸収体と、この吸収体の両側に延在するサイドフラップ部とを有しており、このサイドフラップ部の側縁が前後全体にわたり前後方向に沿う直線をなしている、請求項１〜５のいずれか１項に記載のテープタイプ使い捨ておむつ。
【請求項７】
前記腹側部分の外面に前記ターゲットテープの自由部が挿通されるベルトホールを備えている、請求項１〜６のいずれか１項に記載のテープタイプ使い捨ておむつ。
【発明の詳細な説明】
【技術分野】
【０００１】
本発明は、テープタイプ使い捨ておむつに関する。
【背景技術】
【０００２】
一般的なテープタイプ使い捨ておむつは、股間部と、股間部の前側に延在する腹側部分と、股間部の後側に延在する背側部分と、背側部分の両側部からそれぞれ突出するファスニングテープと、腹側部分の外面に位置し、ファスニングテープが連結されるターゲットテープとを有しており、身体への装着に際して、ファスニングテープを腰の両側から腹側部分外面に回してターゲットテープに連結する構造を有している。このようなテープタイプ使い捨ておむつは、乳幼児向けとして用いられる他、介護用途（成人用途）で広く使用されている。
一般に、テープタイプ使い捨ておむつは、パンツタイプ使い捨ておむつと比べて胴回り方向のフィット性に劣るため、これを改善するために、背側部分のウエスト部に幅方向に沿って弾性伸縮する部材を設けたり、ファスニングテープに弾性伸縮する部材を設けたりすることが提案されている（例えば特許文献１参照）。
しかしながら、装着者の体型は腹部において起伏が大きく、人による相違も大きい。さらに、腹部の寸法、形状は体の動きや食事による変化が大きいため、ずれ易い。よって、背側部分やファスニングテープが伸縮するだけでは、腹側部分のフィット性が不足するおそれがある。腹側部分のフィット性に関して、ターゲットテープに複数条のスリットを幅方向に間隔を空けて設けることも提案されている（例えば特許文献２参照）が、ターゲットテープの固定による硬質化を抑制できるに過ぎず、腹側部分の静的及び動的フィット性を向上できるものではない。
【先行技術文献】
【特許文献】
【０００３】
【特許文献１】特開２００８−２９５８３６号公報
【特許文献２】特開２００１−２７６１１９号公報
【発明の概要】
【発明が解決しようとする課題】
【０００４】
そこで、本発明の主たる課題は、テープタイプ使い捨ておむつの腹側部分における静的及び動的フィット性を向上させることにある。
【課題を解決するための手段】
【０００５】
上記課題を解決した本発明は次記のとおりである。
＜請求項１記載の発明＞
股間部と、股間部の前側に延在する腹側部分と、股間部の後側に延在する背側部分とを有し、
前記背側部分の両側部からそれぞれ突出するファスニングテープを有し、
前記腹側部分の外面に、幅方向に沿って延在し、前記ファスニングテープが連結されるターゲットテープを有し、
身体への装着に際して、前記ファスニングテープを腰の両側から腹側部分外面に回して前記ターゲットテープに連結する、テープタイプ使い捨ておむつにおいて、
前記ターゲットテープにおける幅方向中央部及びその両側に延在するサイド部のうち、少なくともサイド部に、前記腹側部分外面に非固定又は剥離可能に固定された自由部を有しており、この自由部は、前記ファスニングテープとの連結部と、幅方向に弾性伸縮する弾性伸縮部とを有しており、
前記弾性伸縮部は、ウエスト側部分よりも股間側部分における幅方向の弾性変形時引張応力が大きい、
ことを特徴とする、テープタイプ使い捨ておむつ。
【０００６】
（作用効果）
このような弾性伸縮部を有するターゲットテープを設けることにより、ファスニングテープをターゲットテープに連結した装着状態において、ターゲットテープの弾性伸縮により、腹側部分が胴回り方向に弾力的に締め付けられる。この際、ターゲットテープ両側の自由部はファスニングテープによる引張方向の変化に応じて向きを変えることができるため、体の動きによる下腹部及びその近傍の起伏変化に対しても容易に追従し、弾力的な締め付けを維持できる。しかも、弾性伸縮部は、ウエスト側部分よりも股間側部分における幅方向の弾性変形時引張応力が大きいため、弾性伸縮部の締め付け力が腹側部分をウエスト側に引き上げる作用も発揮する。その結果、腹側部分における静的及び動的フィット性に優れたものとなる。また、装着者の体位変化の際に、ターゲットテープには体重がかかることが少ないため、ターゲットテープが伸びきったり、切れたりするおそれも少ない。さらに、ターゲットテープが自由部分を有することにより、腹側部分の柔軟性及び通気性も高いものとなる。
【０００７】
＜請求項２記載の発明＞
股間部と、股間部の前側に延在する腹側部分と、股間部の後側に延在する背側部分とを有し、
前記背側部分の両側部からそれぞれ突出するファスニングテープを有し、
前記腹側部分の外面に、幅方向に沿って延在し、前記ファスニングテープが連結されるターゲットテープを有し、
身体への装着に際して、前記ファスニングテープを腰の両側から腹側部分外面に回して前記ターゲットテープに連結する、テープタイプ使い捨ておむつにおいて、
前記ターゲットテープにおける幅方向中央部及びその両側に延在するサイド部のうち、少なくともサイド部に、前記腹側部分外面に非固定又は剥離可能に固定された自由部を有しており、この自由部は、前記ファスニングテープとの連結部と、幅方向に弾性伸縮する弾性伸縮部とを有しており、
前記弾性伸縮部における股間側部分は、幅方向中央側から幅方向外側に向かうにつれてウエスト側に近づく斜め方向に弾性伸縮するように構成されている、
ことを特徴とする、テープタイプ使い捨ておむつ。
【０００８】
（作用効果）
このような弾性伸縮部を有するターゲットテープを設けることにより、ファスニングテープをターゲットテープに連結した装着状態において、ターゲットテープの弾性伸縮により、腹側部分が胴回り方向に弾力的に締め付けられる。この際、ターゲットテープ両側の自由部はファスニングテープによる引張方向の変化に応じて向きを変えることができるため、体の動きによる下腹部及びその近傍の起伏変化に対しても容易に追従し、弾力的な締め付けを維持できる。しかも、弾性伸縮部における股間側部分は、幅方向中央側から幅方向外側に向かうにつれてウエスト側に近づく方向に弾性伸縮するように構成されているため、弾性伸縮部の締め付け力が腹側部分をウエスト側に引き上げる作用も発揮する。その結果、腹側部分における静的及び動的フィット性に優れたものとなる。また、装着者の体位変化の際に、ターゲットテープには体重がかかることが少ないため、ターゲットテープが伸びきったり、切れたりするおそれも少ない。さらに、ターゲットテープが自由部分を有することにより、腹側部分の柔軟性及び通気性も高いものとなる。
【０００９】
＜請求項３記載の発明＞
前記弾性伸縮部におけるウエスト側部分は、幅方向中央側から幅方向外側に向かうにつれて股間側に近づく斜め方向に弾性伸縮するように構成されている、請求項２記載のテープタイプ使い捨ておむつ。
【００１０】
（作用効果）
これにより、弾性伸縮部の股間側部分が腹部の膨らみの股間側に沿い、弾性伸縮部のウエスト側部分が腹部の膨らみのウエスト側に沿うように締め付け力を発揮するため、腹側部分における静的及び動的フィット性がより一層優れたものとなる。
【００１１】
＜請求項４記載の発明＞
前記ターゲットテープの自由部におけるファスニングテープとの連結部が、弾性伸縮しないように構成されている、請求項１〜３のいずれか１項に記載のテープタイプ使い捨ておむつ。
【００１２】
（作用効果）
ターゲットテープの自由部における弾性伸縮部の範囲は広い方が好ましいが、ファスニングテープとの連結部が弾性伸縮すると表面に皺が寄るため、ファスニングテープを強固に連結することが困難となる。よって、上述のように、ファスニングテープとの連結部は弾性しない構成とするのが好ましい。
【００１３】
＜請求項５記載の発明＞
前記ファスニングテープは不織布を基材として形成されるとともに、その先端側部分に、前記ターゲットテープとの連結手段としてメカニカルファスナーの雄材が設けられたものであり、
前記ターゲットテープは不織布を基材として形成されるとともに、前記自由部における前記ファスニングテープとの連結部に、メカニカルファスナーの雌材が設けられるか又は基材の不織布が露出しているものである、
請求項４記載のテープタイプ使い捨ておむつ。
【００１４】
（作用効果）
ファスニングテープ及びターゲットテープをこのような構造とすることにより、両者を柔軟でフィット性に優れるものとしつつ、相互に強固に連結できるようになる。
【００１５】
＜請求項６記載の発明＞
前記腹側部分から前記背側部分にかけて延在する吸収体と、この吸収体の両側に延在するサイドフラップ部とを有しており、このサイドフラップ部の側縁が前後全体にわたり前後方向に沿う直線をなしている、請求項１〜５のいずれか１項に記載のテープタイプ使い捨ておむつ。
【００１６】
（作用効果）
本発明では、ターゲットテープのサイド部に弾性伸縮する自由部を備えているため、上述のようにサイドフラップ部の側縁が前後全体にわたり前後方向に沿う直線をなしている簡素な形状としても、腹側部分と背側部分とを無理なく連結することができ、フィット性も損なわれることがない。よって、サイドフラップ部を脚周りに沿ってカットすることによるトリム（廃材）を無くすことができ、製造コストを大幅に削減することができる。
【００１７】
＜請求項７記載の発明＞
前記腹側部分の外面に前記ターゲットテープの自由部が挿通されるベルトホールを備えている、請求項１〜６のいずれか１項に記載のテープタイプ使い捨ておむつ。
【００１８】
（作用効果）
このようなベルトホールを備えることにより、ファスニングテープの連結作業の際及び装着状態において、ターゲットテープの自由部を所定の位置に保持できるようになる。
【発明の効果】
【００１９】
以上のとおり本発明によれば、腹側部分における静的及び動的フィット性に優れたものとなる、等の利点がもたらされる。
【図面の簡単な説明】
【００２０】
【図１】テープタイプ使い捨ておむつの展開状態の内面側を示す平面図である。
【図２】テープタイプ使い捨ておむつの展開状態の外面側を示す平面図である。
【図３】図１のＸ−Ｘ断面図である。
【図４】図１のＷ−Ｗ断面図である。
【図５】幅方向伸長状態のターゲットテープ例の写真である。
【図６】テープタイプ使い捨ておむつの装着状態の左側を示す概略図である。
【図７】テープタイプ使い捨ておむつの展開状態の外面側を示す平面図である。
【図８】テープタイプ使い捨ておむつの展開状態の外面側を示す平面図である。
【図９】テープタイプ使い捨ておむつの展開状態の外面側を示す平面図である。
【図１０】テープタイプ使い捨ておむつの展開状態の外面側を示す平面図である。
【発明を実施するための形態】
【００２１】
以下、本発明の一実施形態について添付図面を参照しつつ詳説する。
（第１の形態）
図１〜図６は、テープタイプ使い捨ておむつの一例１００を示しており、この使い捨ておむつ１００は、裏面側に位置するバックシート１と肌に接触する透液性トップシート２との間に、吸収体３が介在されているものである。股間部Ｃは使用時に身体の股間と対応させる部分を意味し、殆ど多くの製品では前後方向中央部及びその前後近傍の部分である。また、腹側部分（前側部分）Ｆは股間部Ｃよりも前側の部分を意味し、背側部分（後側部分）Ｂは股間部Ｃよりも後側の部分を意味する。
【００２２】
吸収体３としては、パルプ繊維の積繊体、セルロースアセテート等のフィラメントの集合体、あるいは不織布を基本とし、必要に応じて高吸収性ポリマー（高吸水性樹脂）を混合してなるものを用いることができる。また、必要に応じて、吸収体３はクレープ紙（図示せず）により包むことができる。吸収体３の形状は適宜定めることができるが、図示のような砂時計形状の他、長方形等のように、腹側部分Ｆから背側部分Ｂまで延在する形状が好適である。吸収体４におけるパルプ目付けは１００〜３００ｇ／ｍ2程度であるのが望ましい。また、高吸収性ポリマーの目付けは５０〜３００ｇ／ｍ2程度であるのが望ましい。高吸収性ポリマーの含有率が少な過ぎると、十分な吸収能を与えることができず、多過ぎるとパルプ繊維間の絡み合いが無くなり、ヨレや割れ等が発生し易くなる。
【００２３】
バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。
【００２４】
バックシート１の裏面は外装シート１２で覆われており、この外装シート１２の両側部はバックシート１の側縁よりも外側に延在している。外装シート１２としては各種の不織布を用いることができるが、スパンボンド不織布が好適である。外装シート１２は省略することもでき、その場合、バックシート１が外装シート１２と同形状に形成される。
【００２５】
トップシート２は、吸収体３の周囲より外側に延在しており、吸収体３側縁より外側に延在する部分がバックシート１にホットメルト接着剤等により固着されている。なお、図中の点模様は固着部分を表しているものである。トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１０〜３０ｇ／ｍ2であるのが好ましい。
【００２６】
図３及び図４にも示されるように、物品内面の両側部（図示形態ではトップシート２の側縁部表面からその側方に延在する外装シート１２の表面）には、バリヤーシート４の幅方向外側の部分４ｘが前後方向全体にわたり貼り付けられている。バリヤーシート４は、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。バリヤーシート４の幅方向中央側の部分４ｃは、前後方向両端部では物品内面（図示形態ではトップシート２表面）にホットメルト接着剤等の手段により固着されているが、これらの間の中間部は非固定の自由部分となっており、この自由部分の先端部（展開状態における幅方向中央側の端部）には、細長状弾性伸縮部材４Ｇが前後方向に沿って伸張状態でホットメルト接着剤等により固定されている。この細長状弾性伸縮部材４Ｇ（他の細長状弾性伸縮部材も同様）としては、糸状、紐状、帯状等に形成された合成ゴム又は天然ゴム等、通常使用される素材を用いることができる。この自由部分は、細長状弾性伸縮部材４Ｇの収縮力が作用する結果、図４に示されるように、物品内面（図示形態ではトップシート２表面）に対して起立するバリヤーを構成する。この起立部分の基端４ｂはバリヤーシート４における幅方向外側の固定部分４ｘと内側の部分４ｃとの境に位置する。
【００２７】
使い捨ておむつ１００の前後方向両端部では、バックシート１、外装シート１２、透液性トップシート２およびバリヤーシート４が吸収体３の前後端よりも前後両側にそれぞれ延在され、吸収体３の存在しないエンドフラップ部ＥＦが形成されている。
【００２８】
一方、使い捨ておむつ１００の左右両側部では、バックシート１、外装シート１２、透液性トップシート２およびバリヤーシート４が吸収体３の側縁よりも側方にそれぞれ延在され、吸収体３の存在しないサイドフラップ部ＳＦが形成されており、各サイドフラップ部ＳＦにおけるシート間（図示例ではバックシート１及びトップシート２間）には、腹側部分Ｆのウエスト側部分から背側部分Ｂのウエスト側部分まで、複数本の細長状弾性伸縮部材３０が間隔を空けて平行に且つそれぞれ長手方向に伸張した状態で挟持固定されている。
【００２９】
サイドフラップ部ＳＦのうち腹側部分Ｆのウエスト側部分及び背側部分Ｂのウエスト側部分にそれぞれ位置する部分は、それらの間の中間部分よりも側方に延出されており、これらの部分が、おむつの胴回り部分となるウエスト側サイドフラップ部ＷＦをそれぞれ構成する。
【００３０】
背側部分Ｂの両ウエスト側サイドフラップ部ＷＦには、その側縁から突出するファスニングテープ５が取り付けられている。図示例のファスニングテープ５は、ウエスト側サイドフラップ部ＷＦの側端部のシート間にホットメルト接着剤等の手段により固着された基端部、及びウエスト側サイドフラップ部ＷＦの側端から突出する先端側部分を有する主基材８Ａと、主基材の先端部近傍の内面に接着剤等の手段により固着されたフックテープ（メカニカルファスナー（面ファスナーともいう）の雄材）９とを有するものである。ファスニングテープ５は、未使用時にはおむつ内面側に折り返されて仮止めされており、使用時に展開される。主基材シート８Ａ及び副基材シート８Ｂとしては、ポリエチレン（ＰＥ）、ポリプロピレン（ＰＰ）、ＰＥＴ（ポリエチレンテレフタレート）等のオレフィン系樹脂のシートを用いることができ、主基材シート８Ａについては強度の観点から厚さが４０〜３００μｍ、特に６０〜２００μｍ程度であるのが好ましい。
【００３１】
また、腹側部分Ｆの胴回り部表面に、幅方向に沿って延在するターゲットテープ６が設けられており、おむつ１００を身体にあてがった状態で、両側のファスニングテープ５を腰の各側から腹側部分外面に回してターゲットテープ６に連結することにより、身体への装着を行うことができる。
【００３２】
特徴的には、ターゲットテープ６は、腹側部分Ｆの幅方向中央部に固定された固定部６Ｂと、この固定部６Ｂから幅方向両側に延在する部分であって且つ腹側部分Ｆ外面に剥離可能に固定された自由部６Ｆとを有している。自由部６Ｆは、ファスニングテープ５を連結するための部分である連結部６Ｌと、少なくとも固定部６Ｆと連結部６Ｌとの間の部分に設けられた、幅方向に弾性伸縮する弾性伸縮部６Ｅとを有しており、弾性伸縮部６Ｅはウエスト側部分６Ｗよりも股間側部分６Ｃにおける幅方向の弾性変形時引張応力が大きくなるように構成されている。ウエスト側部分６Ｗ及び股間側部分６Ｃの縦方向長さは適宜定めることができるが、それぞれターゲットテープ６の縦方向長さの２０〜８０％の範囲内とするのが好ましい。
【００３３】
弾性変形時引張応力は、弾性伸縮部６Ｅをウエスト側部分６Ｗと股間側部分６Ｃとに分割し、各両端部を引張試験機のチャックでそれぞれ掴み、引張試験を行うことにより計測することができる。弾性変形時引張応力の差は適宜定めることができるが、股間側部分６Ｃにおける１４０％伸長時の縦方向の弾性変形時引張応力が、ウエスト側部分６Ｗにおけるそれの１．１〜１．５倍程度であるのが好ましい。なお、このことからも分かるように、弾性変形時引張応力の大小は同じ伸長率（伸長率１１０〜３５０％の範囲内とするのが好ましい）での大小を意味する。
【００３４】
より詳細に説明すると、図示例のターゲットテープ６は、ファスニングテープ５との連結手段としてフックテープ９を用いる場合を想定したものであり、図５にも示すように、その全体にわたり一対の不織布６Ｎ，６Ｎが張り合わされるとともに、その不織布６Ｎ，６Ｎ間に、幅全体にわたり延在する弾性伸縮部材６Ｇが上下方向（縦方向）に間隔を空けて複数本配置され、且つそれぞれ伸長状態で固定されているものである。シート状のゴムにファスニングテープ５との連結部を設ける等、他の構造を採用することもできるが、図示例のような弾性伸縮シートは、使い捨ておむつの分野で多用されており、ローコストで容易に製造できるため好ましい。弾性伸縮部材６Ｇとしては、糸状（図示例）、紐状、帯状等の細長状に形成されたものからゴムシートや網状のものを用いることができ、細長状のものを格子状に配置したりすることもでき、また天然ゴム、合成ゴムのいずれを用いることもできる。このターゲットテープ６では、フックテープ９のフックがターゲットテープ６表面の不織布層の繊維に絡まることで、連結が可能となる。このターゲットテープ６に用いる不織布はフックテープ９が連結される限り特に限定されないが、強度の観点からオレフィン系繊維を用いたスパンボンド不織布、ＳＭＳ不織布が好ましく、坪量（表裏片方あたり）は１５〜２５ｇ／ｍ2程度であるのが好ましい。
【００３５】
この構造からも判るように、本実施形態のターゲットテープ６では、自由部６Ｆの全体が連結部６Ｌであるとともに、弾性伸縮部６Ｅでもある。また固定部６Ｂは固定により弾性伸縮しない部分となるが、弾性伸縮部材６Ｇを有している。もちろん、各部を異なる部材で構成したり、部分的に弾性伸縮部材６Ｇを切断したりする等により、図７に示すように、固定部６Ｂ、連結部６Ｌ又はこれらの両方が弾性伸縮しないように構成することも可能である。また、弾性伸縮部６Ｅの幅方向伸縮量（伸縮可能な長さ）は幅方向に一様であっても良いが、幅方向両側ほど伸縮量が多くなるように構成する（本実施形態の構造でいうと、幅方向両側に向かうにつれて弾性伸縮部材６Ｇの固定時の伸長率が高くなる）するのも一つの好ましい形態である。さらに弾性伸縮部は６Ｅ、幅方向に伸縮可能である限り、上下方向に伸縮可能であっても良い。
【００３６】
ターゲットテープ６の自由部６Ｆは、腹側部分Ｆ外面に対して非固定とすることもできるが、装着作業の際にターゲットが自由に移動してしまうと、装着作業が困難となるため、上述のように腹側部分Ｆ外面に剥離可能に固定されているのが好ましい。ターゲットテープ６の固定状態は適宜定めることができるが、非伸長状態（自然長の状態）で且つ幅方向に沿って弛みなく延在しているのが好ましい。また、ターゲットテープ６の自由部分６Ｆを剥離可能に固定するための手段は特に限定されるものではなく、例えば自由部分６Ｆの裏面と腹側部分Ｆ外面とを粘着剤（図３中に＊印で例示した）により剥離可能に粘着する他、自由部分６Ｆの裏面及び腹側部分Ｆのいずれか一方にメカニカルファスナーのフックテープを設け、他方を不織布により構成するか又はメカニカルファスナーの雌材を設けて剥離可能に接合しても良い。また、自由部分６Ｆの表面から腹側部分Ｆ外面の素材にかけてエンボス加工による凹部を一体的に形成し、剥離可能に接合しても良い。
【００３７】
また、図８に示すように、ターゲットテープ６の自由部６Ｆが挿通されるベルトホール１３を設け、ターゲットテープ６の自由部６Ｆを腹側部分Ｆ外面の所定位置に保持するように構成するのも好ましい。ベルトホール１３は、図示例のように、ターゲットテープ６の自由部６Ｆを前後方向に跨ぐ位置に帯状のシート１３ｓを配して、その前後端部のみを固定することによりを設けることができる。また、ターゲットテープ６の自由部６Ｆと重なる位置において、外装シート１２とバックシート１とを接合せずに離間させ、この離間部の幅方向両側部にターゲットテープの挿通孔を形成することにより設けることもできる。ベルトホール１３の数は図示例のように単数とする他、複数とすることもでき、またその位置は、図示例のように幅方向中央部とする他、幅方向中央部に代えて又は幅方向中央部とともに、幅方向両端部等の他の部位に設けることもできる。
【００３８】
必要に応じて固定部６Ｂを省略し、ターゲットテープ６全体を非固定又は剥離可能に固定することができる。また、固定部６Ｂは、幅方向中央部に代えて又は幅方向中央部とともに、幅方向両端部に設けることができる。
【００３９】
前述の弾性変形時引張応力の大小は、ウエスト側部分６Ｗ及び股間側部分６Ｃにおける幅方向の弾性変形時引張応力の因子、例えば図示例の場合、弾性伸縮部材６Ｇの太さ、伸長率、本数等の少なくとも一つを両者で異ならしめることにより実現できる。弾性伸縮部材６Ｇの本数は、おむつのサイズや配置に応じて定めるのが好ましいため、その配置及び本数を基本として、前述の弾性変形時引張応力の大小関係が得られるように、弾性伸縮部材６Ｇの太さ及び伸長率の少なくとも一方を、ウエスト側部分６Ｗよりも股間側部分６Ｃが太く又は高くなるようにするのが好ましい。
【００４０】
具体的に、図示例の場合には次の範囲内で各部の仕様を定めるのが好ましい。なお、弾性伸縮部材６Ｇの太さの単位をｄｔｅｘに統一しているが、合成ゴムに限定するものではなく、天然ゴムを用いることもでき、天然ゴムを用いる場合の単位ｄｔｅｘとは、当該ｄｔｅｘの合成ゴムと同等のＳＳカーブを有する天然ゴムの太さを意味するものである。
・ウエスト側部分６Ｗの弾性伸縮部材６Ｇ
太さ：３１０〜１１２０ｄｔｅｘ、特に４７０〜９４０ｄｔｅｘ
本数：３〜２０本、特に３〜１０本
間隔：１〜２０ｍｍ、特に２〜１０ｍｍ
固定時の伸長率：１１０〜３５０％、特に２５０〜３５０％
・股間側部分６Ｃの弾性伸縮部材６Ｇ
太さ：３１０〜１１２０ｄｔｅｘ、特に４７０〜９４０ｄｔｅｘ
本数：３〜２０本、特に３〜１０本
間隔：１〜２０ｍｍ、特に２〜１０ｍｍ
固定時の伸長率：１１０〜３５０％、特に２５０〜３５０％
以上に述べたようなターゲットテープ６を設けることにより、図６に示すように、ファスニングテープ５をターゲットテープ６に連結した装着状態において、ターゲットテープ６の弾性伸縮（図中に矢印で表現した）により、腹側部分Ｆが胴回り方向に弾力的に締め付けられる。この際、ターゲットテープ６は幅方向中央部のみ固定部６Ｂとされ、その両側の自由部６Ｆはファスニングテープ５による引張方向の変化に応じて向きを変えることができるため、体の動きによる下腹部及びその近傍の起伏変化に対しても容易に追従し、弾力的な締め付けを維持できる。しかも、弾性伸縮部６Ｅは、ウエスト側部分６Ｗよりも股間側部分６Ｃにおける幅方向の弾性変形時引張応力が大きいため、弾性伸縮部６Ｅの締め付け力が腹側部分Ｆをウエスト側に引き上げる作用も発揮する。その結果、腹側部分Ｆにおける静的及び動的フィット性に優れたものとなる。また、装着者の体位変化の際に、ターゲットテープ６には体重がかかることが少ないため、ターゲットテープ６が伸びきったり、切れたりするおそれも少ない。さらに、ターゲットテープ６の固定部６Ｂは幅方向中央部のみであるため、腹側部分Ｆの柔軟性及び通気性も高いものとなる。
【００４１】
各部の寸法等は適宜設計すれば良いが、通常の場合、ターゲットテープ６の自然幅（非伸長状態の幅）は製品幅Ｗの１５〜５０％程度とするのが好ましく、最大伸長幅（最大まで伸長した状態の幅）は自然幅の１１０〜３５０％程度とするのが好ましい。ターゲットテープ６の最大伸長幅を製品幅Ｗより十分に長くすると、装着の際、ターゲットテープ６の先端部を腹側部分Ｆの両側縁を越えて背側に回り込ませた状態で、背側部分Ｂのファスニングテープ５と連結することができ、ウエストサイズが過度に大きい場合等にも適応することができる。
【００４２】
また、弾性伸縮部６Ｅの自然幅（片方）はターゲットテープ６の自然幅（全幅）の２０〜５０％程度とするのが好ましく、最大伸長幅（最大まで伸長した状態の幅）は自然幅の１１０〜３５０％程度とするのが好ましい。
また、連結部（片方）６Ｌの幅（弾性伸縮部でもある場合は自然幅）はターゲットテープ６の自然幅（全幅）の１１０〜３５０％程度とするのが好ましい。
また、ターゲットテープ６の上下方向長さは製品長の７〜１５％程度とするのが好ましい。
さらに、固定部６Ｂの幅は適宜定めることができるが、通常の場合で５〜４０ｍｍ程度とすることができる。
【００４３】
他方、上述のターゲットテープ６のように、細長状の弾性伸縮部材６Ｇを用いる場合には、弾性伸縮部材６Ｇの太さは３１０〜１１２０ｄｔｅｘ程度、特に３１０〜９４０ｄｔｅｘ程度、さらにいうならば４７０〜６２０ｄｔｅｘ程度とするのが好ましく、また取り付け時の伸張率は１１０〜３５０％程度、特に２００〜３５０％程度、さらにいうならば２５０〜３５０％程度とするのが好ましい。また、弾性伸縮部材６Ｇの本数は、３〜１０本程度が適当であり、また、その上下方向設置間隔は２〜１０ｍｍ程度とするのが好ましい。
【００４４】
また、上述のターゲットテープ６のように、一対の不織布６Ｎ，６Ｎ間に弾性伸縮部材６Ｇを挟持する場合、両不織布６Ｎ，６Ｎは、幅方向に所定の間隔を空けて形成された、ターゲットテープの上端から下端まで連続する縦縞状の接着部分６Ｘにより接着し、且つこの縦縞状の接着部分６Ｘにより弾性伸縮部材６Ｇを表裏の不織布６Ｎ，６Ｎの両者に接着固定し、これら接着部分６Ｘ間では表裏の不織布６Ｎ，６Ｎに接着固定しない形態を採用することができる。この場合、各接着部分６Ｘの幅は５ｍｍ以下とされており、接着部分６Ｘ間の間隔（非接着部分６Ｙの幅）が接着部分６Ｘの幅よりも大きいのが好ましい。
【００４５】
より具体的には、接着部分６Ｘの幅を０．０５〜１０ｍｍ程度、特に０．１〜５ｍｍ程度、非接着部分６Ｙの幅を２〜１５ｍｍ程度、特に２〜１０ｍｍ程度とし、弾性伸縮部材６Ｇの固定時の伸張率を１１０〜３５０％程度、特に２００〜３５０％程度とするのが好ましい。このように接着剤の塗布パターンとして十分に細く十分に間隔の空いた接着線群からなる縦縞状パターンを採用することにより、縦方向に連続する低剛性の非接着部分６Ｙが幅方向に間欠的に形成されるため、各非接着部分６Ｙにより柔軟に折れ曲がることができるとともに、縦方向に連続する各接着部分６Ｘの幅が細いため、接着剤による硬質化が抑制される。その結果、このような接着パターンを採用したターゲットテープ６は、胴回りにおける身体表面の突出部分に対して柔軟にフィットすることができる。しかも、接着パターンが縦縞であると、弾性伸縮部材６Ｇ並びに表裏不織布６Ｎ，６Ｎは幅方向に多数箇所で接着固定されるため固定強度に優れるとともに、伸縮長さを長く確保したとしても、規則的で綺麗な縦皺が形成されるため、肌触り及び見栄えが向上するとともに、伸縮も円滑となる。
【００４６】
また、上述のようにターゲットテープ６のサイド部に弾性伸縮する自由部６Ｆを備えていると、図９に示すように、ウエスト側サイドフラップ部ＷＦを省略し、サイドフラップ部ＳＦの側縁が前後全体にわたり前後方向に沿う直線をなしている簡素な形状としても、腹側部分と背側部分とを無理なく連結することができ、フィット性も損なわれることがない。よって、ウエスト側サイドフラップ部ＷＦを設けるべくサイドフラップ部ＳＦを脚周りに沿ってカットすることにより発生するトリム（廃材）を無くすことができ、製造コストを大幅に削減することができる。
【００４７】
（第２の形態）
第２の形態は、図１０に示されるように、ターゲットテープ６の弾性伸縮部６Ｅにおける股間側部分６Ｃは、幅方向中央側から幅方向外側に向かうにつれてウエスト側に近づく斜め方向に弾性伸縮するように構成されている点で、第１の形態と相違するものである。このような機能を有するターゲットテープの具体例としては、図示例のように股間側部分６Ｃにおける細長状弾性伸縮部材６Ｇを当該斜め方向に沿って取り付けたものが簡素で好ましい。
【００４８】
本第２の形態においては、第１の形態と同様に、ファスニングテープ５をターゲットテープ６に連結した装着状態において、ターゲットテープ６の弾性伸縮（図中に矢印で表現した）により、腹側部分Ｆが胴回り方向に弾力的に締め付けられる。この際、ターゲットテープ６は幅方向中央部のみ固定部６Ｂとされ、その両側の自由部６Ｆはファスニングテープ５による引張方向の変化に応じて向きを変えることができるため、体の動きによる下腹部及びその近傍の起伏変化に対しても容易に追従し、弾力的な締め付けを維持できる。しかも、本第２の形態では、弾性伸縮部６Ｅにおける股間側部分６Ｃが鼠蹊部に沿う斜め方向に弾性伸縮するため、弾性伸縮部６Ｅの締め付け力が腹側部分Ｆをウエスト側に引き上げる作用を発揮する。その結果、腹側部分Ｆにおける静的及び動的フィット性に優れたものとなる。
【００４９】
さらに、本第２の形態においては、図１０に示されるように、弾性伸縮部６Ｅにおけるウエスト側部分６Ｗは、幅方向中央側から幅方向外側に向かうにつれて股間側に近づく斜め方向に弾性伸縮するように構成されていると、より好ましい。これにより、弾性伸縮部６Ｅの股間側部分６Ｃが腹部の膨らみの股間側に沿い、弾性伸縮部６Ｅのウエスト側部分６Ｗが腹部の膨らみのウエスト側に沿うように締め付け力を発揮するため、腹側部分における静的及び動的フィット性がより一層優れたものとなる。
【００５０】
本第２の形態において細長状弾性伸縮部材６Ｇを斜め方向に取り付ける場合、その幅方向に対する角度は５〜２０度程度とするのが好ましい。
なお、本第２の形態においても、第１の形態と同様に、ターゲットテープ６の弾性伸縮部６Ｅがウエスト側部分６Ｗよりも股間側部分６Ｃにおける幅方向の弾性変形時引張応力が大きくなるように構成することも可能であり、また第１の形態の項で述べた各種の変形が可能である。
【産業上の利用可能性】
【００５１】
本発明は、テープタイプ使い捨ておむつに適用できるものである。
【符号の説明】
【００５２】
１…バックシート、２…透液性トップシート、３…吸収体、４…バリヤーシート、５…ファスニングテープ、６…ターゲットテープ、７…弾性伸縮部材、８…基材シート、９…フックテープ、１００…テープタイプ使い捨ておむつ。
【図１】
0005595837.tif 000002
【図２】
0005595837.tif 000003
【図３】
0005595837.tif 000004
【図４】
0005595837.tif 000005
【図６】
0005595837.tif 000006
【図７】
0005595837.tif 000007
【図８】
0005595837.tif 000008
【図９】
0005595837.tif 000009
【図１０】
0005595837.tif 000010
【図５】
0005595837.tif 000011